(57)【要約】【課題】漏れ電流による発光素子の点灯を防止することができる光源および、これを用いた照明器具を提供する。【解決手段】交流電力を直流電力に変換するＬＥＤ駆動装置２の出力に接続される接続部３３と、配線パターンが形成された基板に実装され、接続部３３と電気的に接続される複数の発光ダイオードＬｄ３１からなる発光部３１と、ＬＥＤ駆動装置２から発光部３１に供給される直流電流の方向が、発光ダイオードＬｄ３１の順方向のみとなるように整流するダイオードＤ３１〜Ｄ３４を有する整流部３２とを備え、電気的に接地される非充電金属部３４と配線パターンとの間に浮遊容量Ｃ３５が形成され、整流部３２は、ダイオードＤ３１〜Ｄ３４に並列接続されるコンデンサＣ３１〜Ｃ３４を有する。【選択図】図１
2014022087.tif 000002
【特許請求の範囲】
【請求項１】
交流電力を直流電力に変換する直流電源装置の出力に接続される接続部と、
配線パターンが形成された基板に実装され、前記接続部と電気的に接続される１乃至複数の発光素子からなる発光部と、
前記直流電源装置から前記発光部に供給される直流電流の方向が、前記発光素子の順方向のみとなるように整流する１乃至複数のダイオードを有する整流部とを備え、
電気的に接地される金属製の構造部と前記配線パターンとの間に浮遊容量が形成され、
前記整流部は、前記ダイオードに並列接続されるコンデンサを有することを特徴とする光源。
【請求項２】
前記構造部を備えることを特徴とする請求項１記載の光源。
【請求項３】
請求項１または２記載の光源と、
交流電力を直流電力に変換し、前記光源の前記接続部に出力する直流電源装置と、
前記光源および前記直流電源装置が設けられる器具本体とを備えることを特徴とする照明器具。
【請求項４】
前記光源の前記基板に形成される前記配線パターンとの間に前記浮遊容量を形成する前記構造部を備えることを特徴とする請求項３記載の照明器具。
【発明の詳細な説明】
【技術分野】
【０００１】
本発明は、光源および、これを用いた照明器具に関するものである。
【背景技術】
【０００２】
交流電源を入力電源として、ＬＥＤ（発光ダイオード）を備える光源を点灯させる照明器具がある。このような照明器具は、光源の調光制御方法として、白熱電球を調光制御する場合と同様に、位相制御式調光器を用いる場合がある。この場合、調光制御によって光源を消灯した場合であっても、交流電源からの電源供給経路を介して光源に不要な電流が流れて点灯してしまう問題がある。このような不要な点灯を防止するために、光源に流れる電流をバイパスさせる照明器具がある（例えば、特許文献１参照）。
【０００３】
特許文献１の照明器具では、電流供給ラインから引き抜いた電流を流すためのバイパスラインと、バイパスライン上に設けられる能動素子と、能動素子を制御する制御部とを備えている。そして、ＬＥＤ駆動回路の入力電流が不要であるときは、能動素子をオンし、電流供給ラインから電流を引き抜くことによって、交流電源からの電源供給経路を介して光源に流れる不要電流を低減し、光源の不要な点灯を防止する。
【０００４】
また、光源と、この光源に直流電力を供給するＬＥＤ駆動装置とを電気的に分離自在に接続するコネクタやソケットを有する照明器具がある。また、光源は、発光ダイオードの破壊を防止するために、ＬＥＤ駆動装置から直流電流の方向が、ＬＥＤの順方向のみとなるように整流する整流部を備えるものがある。
【０００５】
図８に示す光源１０３は、複数の発光ダイオードＬｄ１３１が直列接続された発光部１３１と、ダイオードＤ１３１〜Ｄ１３４からなる整流部１３２と、入力端子Ｔｉ１３１，Ｔｉ１３２からなる接続部１３３とを備える。そして、光源１０３は、入力端子Ｔｉ１３１，Ｔｉ１３２が、ＬＥＤ駆動装置１０２の出力端子Ｔｏ１３１，Ｔｏ１３２に接続されることで、ＬＥＤ駆動装置１０２から直流電力が供給されて、各発光ダイオードＬｄ１３１が点灯する。ここで、整流部１３２は、ダイオードＤ１３１〜Ｄ１３４でダイオードブリッジを構成している。そして、正極性の出力端子Ｔｏ１２１に対して、入力端子Ｔｉ１３１，Ｔｉ１３２のうちいずれの端子が接続された場合であっても、発光部１３１に順方向電圧が印加され、発光ダイオードＬｄ１３１に順方向電流のみが流れるように整流する。
【０００６】
また、図９に示す光源１０３の整流部１３２ａは、ダイオードＤ１３５，Ｄ１３６で構成される。ダイオードＤ１３６は、入力端子Ｔｉ１３１と発光部１３１のアノード側との間に順方向に介挿されている。そして、ダイオードＤ１３６は、入力端子Ｔｉ１３２が正極性の出力端子Ｔｏ１３１に接続（入力端子Ｔｉ１３１が負極性の出力端子Ｔｏ１３２に接続）された場合、発光ダイオードＬｄ１３１に逆方向電流が流れるのを防止する。また、ダイオードＤ１３５は、発光部１３１に対して逆方向に並列接続されており、発光ダイオードＬｄ１３１に逆方向の過電圧が印加されることを防止する。
【先行技術文献】
【特許文献】
【０００７】
【特許文献１】特開２０１０−９２７７６号公報
【発明の概要】
【発明が解決しようとする課題】
【０００８】
光源または、光源が取り付けられる照明器具の器具本体において、例えばＬＥＤ実装基板に密着する金属製の構造材を有する場合や、光源や器具本体の外郭部分が金属製の構造材である場合がある。このような場合、金属製の構造材と、ＬＥＤ実装基板に形成された導体（配線パターン）との間には浮遊容量が存在することとなる。そして、この浮遊容量を介する漏れ電流が発生し、発光ダイオードが不要に点灯してしまうおそれがある。
【０００９】
図８に示した光源１０３を用いた照明器具１０１の回路構成図を図１０に示す。この照明器具１０１は、中点を接地した単相三線で構成された交流電源Ｅ１０１を入力電源としており、交流電源Ｅ１０１の出力端にＬＥＤ駆動装置１０２の入力端子Ｔｉ１２１，Ｔｉ１２２が接続されている。また、入力端子Ｔｉ１２１と交流電源Ｅ１０１との間にスイッチ１０４が介挿されている。このスイッチ１０４は、いわゆる片切りスイッチであり、交流電源Ｅ１０１からＬＥＤ駆動装置１０２への電力供給をオン・オフする。そして、ＬＥＤ駆動装置１０２は、交流電源Ｅ１０１から供給される交流電力を、所定の直流電力に変換して光源１０３に出力する。
【００１０】
また、光源１０３は、上述した金属製の構造材１３４を備えており、発光ダイオードＬｄ１３１が実装されるＬＥＤ実装基板の配線パターンとの間に浮遊容量Ｃ１３１が形成されている。
【００１１】
ここで、スイッチ１０４は、交流電源Ｅ１０１とＬＥＤ駆動装置１０２とを接続する一対の電力供給経路のうち、一方のみを導通・遮断する。したがって、スイッチ１０４をオフしている場合であっても、入力端子Ｔｉ１２２には接地電位に対して交流電圧が常時印加されている状態となる。すなわち、発光部１３１のアノード側にも、対地間に電位差が発生する。そして、構造材１３４が電気的に接地されると、浮遊容量Ｃ１３１を介した漏れ電流が生じる。
【００１２】
例えば、入力端子Ｔｉ１２２が接地電位に対して負電位である場合、構造材１３４，浮遊容量Ｃ１３１を介して、発光部１３１のアノード側またはカソード側に漏れ電流が流入する。このとき、発光部１３１のアノード側に漏れ電流が流入した場合、漏れ電流の経路Ｋ１０１は、発光ダイオードＬｄ１３１および整流部１３２，ＬＥＤ駆動装置１０２を介して交流電源Ｅ１０１に流れる経路となる。すなわち、この経路Ｋ１０１を漏れ電流が流れると、発光ダイオードＬｄ１３１に漏れ電流が流れることとなるので、発光ダイオードＬｄ１３１が不要に点灯するおそれがある。
【００１３】
また、上述した能動素子を用いてＬＥＤ駆動装置２の出力端子Ｔｏ１２１，Ｔｏ１２２間の電位差を０Ｖとした場合であっても、発光部１３１のアノード側に、接地電位に対する電位差が発生する。したがって、経路Ｋ１０１に漏れ電流が流れた場合、発光ダイオードＬｄ１３１が不要に点灯するおそれがある。
【００１４】
本発明は、上記事由に鑑みてなされたものであり、その目的は、漏れ電流による発光素子の点灯を防止することができる光源および、これを用いた照明器具を提供することにある。
【課題を解決するための手段】
【００１５】
本発明の光源は、交流電力を直流電力に変換する直流電源装置の出力に接続される接続部と、配線パターンが形成された基板に実装され、前記接続部と電気的に接続される１乃至複数の発光素子からなる発光部と、前記直流電源装置から前記発光部に供給される直流電流の方向が、前記発光素子の順方向のみとなるように整流する１乃至複数のダイオードを有する整流部とを備え、電気的に接地される金属製の構造部と前記配線パターンとの間に浮遊容量が形成され、前記整流部は、前記ダイオードに並列接続されるコンデンサを有することを特徴とする。
【００１６】
この光源において、前記構造部を備えることが好ましい。
【００１７】
本発明の照明器具は、交流電力を直流電力に変換する直流電源装置の出力に接続される接続部と、配線パターンが形成された基板に実装され、前記接続部と電気的に接続される１乃至複数の発光素子からなる発光部と、前記直流電源装置から前記発光部に供給される直流電流の方向が、前記発光素子の順方向のみとなるように整流する１乃至複数のダイオードを有する整流部とを備え、電気的に接地される金属製の構造部と前記配線パターンとの間に浮遊容量が形成され、前記整流部は、前記ダイオードに並列接続されるコンデンサを有する光源と、交流電力を直流電力に変換し、前記光源の前記接続部に出力する直流電源装置と、前記光源および前記直流電源装置が設けられる器具本体とを備えることを特徴とする。
【００１８】
この照明器具において、前記光源の前記基板に形成される前記配線パターンとの間に前記浮遊容量を形成する前記構造部を備えることが好ましい。
【発明の効果】
【００１９】
以上説明したように、本発明では、発光素子が含まれない漏れ電流の経路を形成することで、発光素子に流れる漏れ電流を低減し、漏れ電流による発光素子の点灯を防止することができるという効果がある。
【図面の簡単な説明】
【００２０】
【図１】本発明の実施形態の照明器具の回路構成図である。
【図２】漏れ電流の経路を示した照明器具の回路構成図である。
【図３】漏れ電流の経路を示した照明器具の回路構成図である。
【図４】（ａ）〜（ｃ）整流部の他の構成を示す回路構成図である。
【図５】照明器具の外観図である。
【図６】（ａ）（ｂ）光源の外観図である。
【図７】（ａ）（ｂ）光源の一部拡大した外観図である。
【図８】従来の光源の回路構成図である。
【図９】従来の光源の回路構成図である。
【図１０】漏れ電流の経路を示した従来の照明器具の回路構成図である。
【発明を実施するための形態】
【００２１】
以下、本発明の実施の形態を図面に基づいて説明する。
【００２２】
（実施形態）
本実施形態の光源３が取り付けられる照明器具１の回路構成図を図１に示す。
【００２３】
照明器具１は、ＬＥＤ駆動装置２（直流電源装置）と光源３とスイッチ４とを備えており、交流電源Ｅ１を入力電源として光源３を点灯させるものである。
【００２４】
交流電源Ｅ１は、中点を接地した単相三線で構成されており、照明器具１のＬＥＤ駆動装置２に交流電力を供給する。なお、交流電源Ｅ１の構成は、単相三線に限定するものではなく、例えば単相二線などの他の構成であってもよい。
【００２５】
ＬＥＤ駆動装置２は、一対の入力端子Ｔｉ２１，Ｔｉ２２を備えており、入力端子Ｔｉ２１はスイッチ４を介して交流電源Ｅ１の一方の極に接続され、入力端子Ｔｉ２２は交流電源Ｅ１の他方の極に接続されている。すなわち、スイッチ４は、いわゆる片切りスイッチとして機能し、交流電源Ｅ１とＬＥＤ駆動装置２とを接続する一対の電力供給経路のうち、一方の電力供給経路を導通・遮断することで、ＬＥＤ駆動装置２に供給される交流電力をオン・オフするものである。そして、スイッチ４をオンしている場合、交流電源Ｅ１からＬＥＤ駆動装置２に交流電力が供給される。
【００２６】
ＬＥＤ駆動装置２は、整流回路ＤＢ１と、スイッチング回路２１と、コンデンサＣ２１〜Ｃ２３とで構成されており、交流電源Ｅ１から供給される交流電力を直流電力に変換して光源３に供給する。
【００２７】
整流回路ＤＢ１は、交流電源Ｅ１から印加される交流電圧を全波整流する。コンデンサＣ２１は、整流回路ＤＢ１の出力端間に接続されており、整流回路ＤＢ１の出力電圧を平滑する平滑用コンデンサまたは、ノイズを除去するフィルタコンデンサとして機能する。コンデンサＣ２２は、一端が整流回路ＤＢ１の負極性の出力端子に接続され、他端が接地されている。
【００２８】
また、スイッチング回路２１とコンデンサＣ２３とで、電力変換手段を構成しており、整流回路ＤＢ１の出力電圧（コンデンサＣ２１の両端電圧）を入力として、所定の直流電圧を生成する。スイッチング回路２１は、図示しないスイッチング素子，インダクタ素子および、スイッチング素子を駆動する駆動回路を備える降圧チョッパ回路で構成されている。そして、スイッチング回路２１は、スイッチング素子がオン・オフ駆動されることで、平滑用のコンデンサＣ２３の両端間に所定の直流電圧を生成する。
【００２９】
また、ＬＥＤ駆動装置２は、一対の出力端子Ｔｏ２１，Ｔｏ２２を備えており、出力端子Ｔｏ２１はコンデンサＣ２３の正極（高電位側）に接続され、出力端子Ｔｏ２２はコンデンサＣ２３の負極（低電位側）に接続される。
【００３０】
なお、スイッチング回路２１は、少なくとも一つのスイッチング素子と、少なくとも一つのインダクタ素子と、スイッチング素子を駆動する駆動回路とを備え、所定の直流電圧を生成する構成であればよい。例えば、スイッチング回路２１は、昇圧チョッパ回路と降圧チョッパ回路とを組み合わせた構成でもよい。
【００３１】
光源３は、発光部３１と整流部３２と接続部３３と非充電金属部３４（構造部）とを備え、ＬＥＤ駆動装置２の出力に接続されることで直流電力が供給され点灯する。
【００３２】
接続部３３は、一対の入力端子Ｔｉ３１，Ｔｉ３２で構成されており、入力端子Ｔｉ３１は出力端子Ｔｏ２１に接続され、入力端子Ｔｉ３２は出力端子Ｔｏ２２に接続される。すなわち、入力端子Ｔｉ３１，Ｔｉ３２間に、ＬＥＤ駆動装置２が出力する直流電圧が印加される。
【００３３】
発光部３１，整流部３２は、配線パターンが形成された基板（図示なし）に、回路素子が実装されることで構成されている。
【００３４】
発光部３１は、複数の発光ダイオードＬｄ３１（発光素子）が基板に実装されることで構成されており、各発光ダイオードＬｄ３１は直列接続されている。そして、発光部３１は、整流部３２を介して接続部３３（入力端子Ｔｉ３１，Ｔｉ３２）に電気的に接続されている。以降、直列接続された複数の発光ダイオードＬｄ３１のうち、アノードが整流部３２に接続される一端の発光ダイオードＬｄ３１のアノードを、発光部３１のアノードと称す。また、直列接続された複数の発光ダイオードＬｄ３１のうち、カソードが整流部３２に接続される他端の発光ダイオードＬｄ３１のカソードを、発光部３１のカソードと称す。なお、発光部３１の構成は、上記に限定するものではなく、単数の発光ダイオードＬｄ３１または、複数の発光ダイオードＬｄ３１が並列接続された構成であってもよい。
【００３５】
整流部３２は、ダイオードＤ３１〜Ｄ３４と、コンデンサＣ３１〜Ｃ３４とで構成されている。
【００３６】
ダイオードＤ３１〜Ｄ３４でダイオードブリッジを形成している。具体的には、ダイオードＤ３１は、アノードが入力端子Ｔｉ３１に接続され、カソードが発光部３１のアノードに接続されている。ダイオードＤ３２は、アノードが入力端子Ｔｉ３２に接続され、カソードが発光部３１のアノードに接続されている。ダイオードＤ３３は、アノードが発光部３１のカソードに接続され、カソードが入力端子Ｔｉ３１に接続されている。ダイオードＤ３４は、アノードが発光部３１のカソードに接続され、カソードが入力端子Ｔｉ３２に接続されている。
【００３７】
このように構成された整流部３２によって、ＬＥＤ駆動装置２の正極の出力端子Ｔｏ２１に対して、入力端子Ｔｉ３１，Ｔｉ３２のうちいずれが接続された場合であっても、発光部３１（発光ダイオードＬｄ３１）に順方向電圧が印加される。すなわち、ＬＥＤ駆動装置２から発光部３１に供給される直流電流の方向が、発光ダイオードＬｄ３１の順方向となるように整流されるので、発光部３１（発光ダイオードＬｄ３１）の破壊を防止することができる。
【００３８】
コンデンサＣ３１はダイオードＤ３１に並列接続され、コンデンサＣ３２はダイオードＤ３２に並列接続され、コンデンサＣ３３はダイオードＤ３３に並列接続され、コンデンサＣ３４はダイオードＤ３４に並列接続されている。
【００３９】
また、光源３は、発光部３１（発光ダイオードＬｄ３１）の強度や放熱性を確保するために金属製の構造材である非充電金属部３４を備えている。この非充電金属部３４は、各発光ダイオードＬｄ３１が実装される基板に密着するように設けられており、直接、電気的に接地されている。すなわち、非充電金属部３４は、接地電位と略同電位となる。そして、この非充電金属部３４と基板の配線パターンと間には、浮遊容量Ｃ３５が形成される。
【００４０】
なお、非充電金属部３４は、接地部に対して電気的に接続されていればよく、光源３が取り付けられる照明器具１の器具本体を介して接地部に電気的に接続される構成でもよい。また、非充電金属部３４は、基板の配線パターンとの間に浮遊容量Ｃ３５が形成される構成であればよく、光源３が取り付けられる器具本体が非充電金属部３４を有する構成でもよい。
【００４１】
上述したように、交流電源Ｅ１は、単相三線で構成され、スイッチ４は、一方の電力供給経路に介挿されている。そのため、スイッチ４をオフした場合であっても、入力端子Ｔｉ２２には接地電位に対する交流電圧が常時印加される状態となる。そして、従来では、スイッチ１０４のオフ時に浮遊容量Ｃ１３１を介して流入する漏れ電流によって、発光ダイオードＬｄ１３１が不要に点灯するという問題があった（図１０参照）。しかし、本実施形態では、整流部３２の各ダイオードＤ３１〜Ｄ３４に対してコンデンサＣ３１〜Ｃ３４が並列接続されており、このコンデンサＣ３１〜Ｃ３４が含まれる漏れ電流の経路が形成されることで、発光ダイオードＬｄ３１の不要な点灯を防止することができる。以下、漏れ電流の経路について図２，３を用いて説明する。
【００４２】
入力端子Ｔｉ２２の電位が接地電位に対して負電位である場合、接地部から非充電金属部３４および浮遊容量Ｃ３５を介して漏れ電流が流入する。このときの漏れ電流の経路Ｋ１１〜Ｋ１４を図２に示す。
【００４３】
まず、接地部から非充電金属部３４，浮遊容量Ｃ３５を介して発光部３１のアノード側に漏れ電流が流入した場合、以降の漏れ電流の経路としてＫ１１，Ｋ１２が存在する。
【００４４】
漏れ電流が経路Ｋ１１を流れる場合、漏れ電流は、発光部３１のアノード側からコンデンサＣ３１，入力端子Ｔｉ３１を介してＬＥＤ駆動装置２に流入し、コンデンサＣ２３，整流回路ＤＢ１を介して交流電源Ｅ１に流れる。また、漏れ電流が経路Ｋ１２を流れる場合、漏れ電流は、発光部３１のアノード側からコンデンサＣ３２，入力端子Ｔｉ３２を介してＬＥＤ駆動装置２に流入し、整流回路ＤＢ１を介して交流電源Ｅ１に流れる。
【００４５】
また、接地部から非充電金属部３４，浮遊容量Ｃ３５を介して発光部３１のカソード側に漏れ電流が流入した場合、以降の漏れ電流の経路としてＫ１３，Ｋ１４が存在する。
【００４６】
漏れ電流が経路Ｋ１３を流れる場合、漏れ電流は、発光部３１のカソード側からコンデンサＣ３３，入力端子Ｔｉ３１を介してＬＥＤ駆動装置２に流入し、コンデンサＣ２３，整流回路ＤＢ１を介して交流電源Ｅ１に流れる。また、漏れ電流が経路Ｋ１４を流れる場合、漏れ電流は、発光部３１のカソード側からコンデンサＣ３４，入力端子Ｔｉ３２を介してＬＥＤ駆動装置２に流入し、整流回路ＤＢ１を介して交流電源Ｅ１に流れる。
【００４７】
このように、発光部３１のアノード側に漏れ電流が流入した場合であっても、コンデンサＣ３１，Ｃ３２が含まれる経路Ｋ１１，Ｋ１２が存在することによって、発光ダイオードＬｄ３１に流れる漏れ電流が大幅に低減される。これにより、漏れ電流による発光ダイオードＬｄ３１の不要な点灯を防止することができる。
【００４８】
次に、入力端子Ｔｉ２２の電位が接地電位に対して正電位である場合、ＬＥＤ駆動装置２から浮遊容量Ｃ３５および非充電金属部３４を介して接地部に漏れ電流が流出する。このときの漏れ電流の経路Ｋ２１〜Ｋ２４を図３に示す。
【００４９】
まず、整流回路ＤＢ１からコンデンサＣ２１，Ｃ２３，出力端子Ｔｏ２１を介して光源３に漏れ電流が流出する場合、以降の漏れ電流の経路としてＫ２１，Ｋ２３が存在する。
【００５０】
漏れ電流が経路Ｋ２１を流れる場合、漏れ電流は、コンデンサＣ３１および浮遊容量Ｃ３５，非充電金属部３４を介して接地部に流れる。また、漏れ電流がＫ２３を流れる場合、漏れ電流は、コンデンサＣ３３および浮遊容量Ｃ３５，非充電金属部３４を介して接地部に流れる。
【００５１】
また、整流回路ＤＢ１からコンデンサＣ２１，出力端子Ｔｏ２２を介して光源３に漏れ電流が流出した場合、以降の漏れ電流の経路としてＫ２２，Ｋ２４が存在する。
【００５２】
漏れ電流が経路Ｋ２２を流れる場合、漏れ電流は、コンデンサＣ３２，浮遊容量Ｃ３５，非充電金属部３４を介して接地部に流れる。また、漏れ電流がＫ２４を流れる場合、漏れ電流は、コンデンサＣ３４および浮遊容量Ｃ３５，非充電金属部３４を介して接地部に流れる。
【００５３】
このように、ＬＥＤ駆動装置２から漏れ電流が流出する場合であっても、コンデンサＣ３１〜Ｃ３４が含まれる経路Ｋ２１〜Ｋ２４によって、発光ダイオードＬｄ３１に流れる漏れ電流が大幅に低減される。これにより、漏れ電流による発光ダイオードＬｄ３１の不要な点灯を防止することができる。
【００５４】
すなわち、本実施形態では、光源３の整流部３２が、各ダイオードＤ３１〜Ｄ３４に並列接続されたコンデンサＣ３１〜Ｃ３４を備えることで、発光ダイオードＬｄ３１が含まれない漏れ電流の経路Ｋ１１〜Ｋ１４，Ｋ２１〜Ｋ２４が形成される。この経路Ｋ１１〜Ｋ１４，Ｋ２１〜Ｋ２４によって、発光ダイオードＬｄ３１に流れる漏れ電流が大幅に低減され、漏れ電流による発光ダイオードＬｄ３１の不要な点灯を防止することができる。
【００５５】
また、コンデンサＣ２３が含まれる漏れ電流の経路における交流インピーダンスを低減するために、コンデンサＣ２３を、コンデンサＣ３１〜Ｃ３４の各々に対して大容量に設定することが望ましい。
【００５６】
なお、本実施形態では、ＬＥＤ駆動装置２のスイッチング回路２１は、降圧チョッパ回路を用いた非絶縁型の電源回路構成としているが、絶縁トランスを用いて入力側と出力側とを絶縁した電源回路構成としてもよい。この場合、絶縁トランスによって漏れ電流の経路が遮断されるため、漏れ電流による発光ダイオードＬｄ３１の不要な点灯は起こりにくくなる。しかし、絶縁トランスの一次側と二次側との間にコンデンサが接続されている場合、一次側と二次側との間に交流インピーダンスを有することとなり、漏れ電流の経路が形成され、漏れ電流が発生する。しかし、上述したように、コンデンサＣ３１〜Ｃ３４を有する本実施形態の整流部３２を備えることで、発光ダイオードＬｄ３１を含まない漏れ電流の経路が形成され、漏れ電流による発光ダイオードＬｄ３１の不要な点灯を防止することができる。
【００５７】
また、本実施形態では、光源３の整流部３２は、ダイオードＤ３１〜Ｄ３４を用いてダイオードブリッジを構成している。そして、正極性の出力端子Ｔｏ２１に対していずれの入力端子Ｔｉ３１，Ｔｉ３２が接続された場合であっても、発光ダイオードＬｄ３１に順方向電圧が印加されるように構成することで、発光部３１の破壊を防止している。しかし、整流部３２の構成は、これに限定するものではなく、図４（ａ）〜（ｃ）に示すように、正極性の出力端子Ｔｏ２１に対して入力端子Ｔｉ３１が接続された場合にのみ、発光ダイオードＬｄ３１に順方向電流が流れるように構成してもよい。
【００５８】
図４（ａ）に示す整流部３２ａは、ダイオードＤ３５〜Ｄ３７とコンデンサＣ３６，Ｃ３７で構成されている。
【００５９】
ダイオードＤ３６は、アノードが入力端子Ｔｉ３１に接続され、カソードが発光部３１のアノードに接続されている。そして、ダイオードＤ３６に対して、コンデンサＣ３６が並列接続されている。また、ダイオードＤ３７は、アノードが発光部３１のカソードに接続され、カソードが入力端子Ｔｉ３２に接続されている。そして、ダイオードＤ３７に対して、コンデンサＣ３７が並列接続されている。そして、ダイオードＤ３６，Ｄ３７によって、正極性の出力端子Ｔｏ２１に対して入力端子Ｔｉ３１が接続された場合にのみ、ＬＥＤ駆動装置２から発光部３１に供給される直流電流の方向が、発光ダイオードＬｄ３１の順方向となるように整流する。すなわち、正極性の出力端子Ｔｏ２１に対して入力端子Ｔｉ３２が接続された場合、発光ダイオードＬｄ３１に逆方向の電流が供給されないように制限することで、発光部３１の破壊を防止することができる。
【００６０】
また、ダイオードＤ３５は、発光部３１に逆方向の過電圧が印加されることを防止するダイオードであり、アノードが発光部３１のカソードに接続され、カソードが発光部３１のアノードに接続されている。
【００６１】
整流部３２ａをこのように構成した場合であっても、コンデンサＣ３６，Ｃ３７を含む漏れ電流の経路が形成されるので、発光ダイオードＬｄ３１に流れる漏れ電流を低減し、漏れ電流による発光ダイオードＬｄ３１の不要な点灯を防止することができる。
【００６２】
また、図４（ｂ）に示す整流部３２ｂのように、整流部３２ａからダイオードＤ３７，コンデンサＣ３７を省略した構成または、図４（ｃ）に示す整流部３２ｃのように、整流部３２ａからダイオードＤ３６，コンデンサＣ３６を省略した構成でもよい。このような構成であっても、正極性の出力端子Ｔｏ２１に対して入力端子Ｔｉ３２が接続された場合、発光ダイオードＬｄ３１に逆方向の電流が供給されないように制限することで、発光部３１の破壊を防止することができる。また、コンデンサＣ３６またはコンデンサＣ３７を含む漏れ電流の経路が形成されるので、発光ダイオードＬｄ３１に流れる漏れ電流を低減し、漏れ電流による発光ダイオードＬｄ３１の不要な点灯を防止することができる。
【００６３】
次に、本実施形態の光源３が取り付けられる照明器具１の外観図を図５、光源３の外観図を図６（ａ）（ｂ），図７（ａ）（ｂ）に示す。
【００６４】
照明器具１は、天井面に埋込配設されて使用されるものである。細長い直方体状の器具本体１１の内部にＬＥＤ駆動装置２を収納しており、器具本体１１の長手方向両端部の下側面には、ランプソケット１２，１３が向かい合わせに取り付けられている。そして、ランプソケット１２，１３に、直管状に形成された光源３が取り付けられ、ＬＥＤ駆動装置２からランプソケット１２を介して直流電力が供給されることで、光源３が点灯する。
【００６５】
光源３は、直管形蛍光ランプと略同形状に形成され透光性を有する筐体３５を備えている。そして、筐体３５内に、発光部３１を構成する複数の発光ダイオードＬｄ３１および、整流部３２を構成するダイオードＤ３１〜Ｄ３４，コンデンサＣ３１〜Ｃ３４が実装された基板を収納している。また、筐体３５の軸方向一端側には、給電用の入力端子Ｔｉ３１，Ｔｉ３２が設けられ、筐体３５の軸方向他端側には、接地用の接地端子Ｔｓ３１が設けられている。この接地端子Ｔｓ３１は、上述した非充電金属部３４に電気的に接続されている。そして、接地端子Ｔｓ３１が器具本体１１のランプソケット１３に取り付けられることで、接地端子Ｔｓ３１と照明器具１の接地部とが電気的に接続され、非充電金属部３４が接地される。
【符号の説明】
【００６６】
１  照明器具
２  ＬＥＤ駆動装置（直流電源装置）
３  光源
３１  発光部
３２  整流部
３３  接続部
３４  非充電金属部（構造部）
４  スイッチ
Ｄ３１〜Ｄ３４  ダイオード
Ｃ３１〜Ｃ３４  コンデンサ
Ｃ３５  浮遊容量
Ｌｄ３１  発光ダイオード（発光素子）
Ｅ１  交流電源
【図１】
2014022087.tif 000003
【図２】
2014022087.tif 000004
【図３】
2014022087.tif 000005
【図４】
2014022087.tif 000006
【図５】
2014022087.tif 000007
【図６】
2014022087.tif 000008
【図７】
2014022087.tif 000009
【図８】
2014022087.tif 000010
【図９】
2014022087.tif 000011
【図１０】
2014022087.tif 000012